(57)【要約】【課題】光量調整羽根の移動停止に伴うバウンドを抑制し、光量調整ばらつきを効果的に抑えた光量調整装置及び撮像装置を提供する。【解決手段】光通過経路で光の量を調整する複数の光量調整羽根１１と、複数の光量調整羽根１１を移動可能に保持する地板１２と、地板１２上で複数の光量調整羽根１１の移動を規制するストッパ１３とを備え、重畳する複数の光量調整羽根１１には、重畳する複数の光量調整羽根１１がストッパ１３に当接するときに羽根同士を実質的に係合状態とする係合部１１０が設けられたことを特徴とする光量調整装置１０とする。【選択図】図１
2016057469.tif 000002
【特許請求の範囲】
【請求項１】
光通過経路で光の量を調整する複数の光量調整羽根と、
前記複数の光量調整羽根を移動可能に保持する地板と、
前記地板上で前記複数の光量調整羽根の移動を規制するストッパとを備え、
重畳する前記複数の光量調整羽根には、重畳する前記複数の光量調整羽根が前記ストッパに当接するときに羽根同士を実質的に係合状態とする係合部が設けられたことを特徴とする光量調整装置。
【請求項２】
前記複数の光量調整羽根は、前記地板に設けた固定開口部を開閉する羽根であり、
前記複数の光量調整羽根によって前記固定開口部を閉じて前記複数の光量調整羽根が前記ストッパに当接するときに前記係合部によって羽根同士を実質的に係合状態とすることを特徴とする請求項１に記載の光量調整装置。
【請求項３】
前記係合部は、重畳する前記光量調整羽根のうち一方の羽根に設けられた球状の突起部と、他方の羽根に設けられて前記球状の突起部を受ける受け部とからなることを特徴とする請求項１又は２に記載の光量調整装置。
【請求項４】
請求項１乃至３のいずれか１項に記載の光量調整装置を備えたことを特徴とする撮像装置。
【発明の詳細な説明】
【技術分野】
【０００１】
本発明は、撮像装置等における光通過経路の光量を調整する光量調整装置及びこの光量調整装置を備えた撮像装置に関する。
【背景技術】
【０００２】
光量調整装置としては、例えば、露光用の開口部を開閉するように複数のシャッタ羽根を地板に回動自在に設けたシャッタ装置が知られている（特許文献１参照）。このようなシャッタ装置は、閉じ動作後や開き動作後のシャッタ羽根をストッパに当接させて回転動作を停止させる構成となっている。
【先行技術文献】
【特許文献】
【０００３】
【特許文献１】特開２００３−２２２９２７号公報
【発明の概要】
【発明が解決しようとする課題】
【０００４】
従来のシャッタ装置においては、シャッタ羽根をストッパに当接させるとバウンドが生じてしまうため、シャッタ特性がばらつくことが知られている。なお、このような問題は、シャッタ羽根以外の光量調整羽根においても同様に発生するおそれがある。
【０００５】
本発明は、光量調整羽根の移動停止に伴うバウンドを抑制し、光量調整ばらつきを効果的に抑えた光量調整装置及び撮像装置を提供する。
【課題を解決するための手段】
【０００６】
本発明の光量調製装置は、光通過経路で光の量を調整する複数の光量調整羽根と、前記複数の光量調整羽根を移動可能に保持する地板と、前記地板上で前記複数の光量調整羽根の移動を規制するストッパとを備え、重畳する前記複数の光量調整羽根には、重畳する前記複数の光量調整羽根が前記ストッパに当接するときに羽根同士を実質的に係合状態とする係合部が設けられたことを特徴とする。このような本発明の態様では、複数の光量調整羽根がストッパに当接するときに羽根同士が係合するため、光量調整羽根の移動停止に伴うバウンドを抑制し、光量調整ばらつきを効果的に抑えることができる。
【０００７】
また、上記本発明では、前記複数の光量調整羽根は、前記地板に設けた固定開口部を開閉する羽根であり、前記複数の光量調整羽根によって前記固定開口部を閉じて前記複数の光量調整羽根が前記ストッパに当接するときに前記係合部によって羽根同士を実質的に係合状態とすることを特徴とする。このような本発明の態様では、固定開口部を閉じる動作後のバウンドを効果的に抑制できる。
【０００８】
また、上記本発明では、前記係合部は、重畳する前記光量調整羽根のうち一方の羽根に設けられた球状の突起部と、他方の羽根に設けられて前記球状の突起部を受ける受け部とからなることを特徴とする。このような本発明の態様によれば、羽根同士のスムーズな係合状態を実現できる。
【０００９】
なお、本発明は、上記光量調整装置を備えたことを特徴とする撮像装置についても広く対象とする。このような本発明の態様によれば、光量調整ばらつきを有効に防止して高品質な撮影を行える撮像装置を実現することができる。
【発明の効果】
【００１０】
本発明によれば、光量調整羽根の移動停止に伴うバウンドを抑制し、光量調整ばらつきを効果的に抑えた光量調整装置及び撮像装置を実現できる。
【図面の簡単な説明】
【００１１】
【図１】本発明の一実施形態に係る光量調整装置の概略正面図（光通過開口の全閉状態）。
【図２】図１のＡ−Ａ断面図。
【図３】図１における光通過開口の全開状態を示す概略正面図。
【発明を実施するための形態】
【００１２】
以下、本発明を一実施形態に基づいて詳細に説明する。
図１には、本発明の一実施形態に係る光量調整装置の概略正面図（光通過開口の全閉状態）を示し、図２には図１のＡ−Ａ断面図を示す。また、図３には、図１における光通過開口の全開状態を示す概略正面図を示す。
【００１３】
図１及び図２に示すように、本実施形態の光量調整装置１０は、光通過経路で光の量を調整する複数（図１では２枚）の光量調整羽根１１と、これら各光量調整羽根１１を移動可能に保持する地板１２と、地板１２上で各光量調整羽根１１の移動を規制するストッパ１３とを備える。
【００１４】
光量調整羽根１１は、本実施形態では、地板１２に設けられた固定開口部１２ａを開閉する一対のシャッタ羽根である。この光量調整羽根１１には、図示しない羽根駆動用のモータの回転動力が伝達される駆動ピン１４が挿入される挿入孔１１ａと、地板１２上に設けられた回転軸１２ｂが挿入される挿入孔１１ｂとが設けられている。そして、これら各光量調整羽根１１は、上記挿入孔１１ａ及び１１ｂが相互に連通するように重畳されており、駆動ピン１４の駆動によって回転軸１２ｂの軸周りにそれぞれ回動する。
【００１５】
また、このように回動する各光量調整羽根１１は、図１に示す全閉状態において、羽根進行方向の端部１１ｃが地板１２上のストッパ１３に当接し、それぞれの回動が停止する。具体的には、各光量調整羽根１１は、地板１２の固定開口部１２ａを閉じた後、回転軸１２ｂの軸周りに回動し、その回転軸１２ｂ側の端部１１ｃがストッパ１３に当接する。このとき、ストッパ１３に当接した衝撃から、各光量調整羽根１１はバウンドする。
【００１６】
また、このような一対の光量調整羽根１１は、重畳した状態で走行することになるが、ストッパ１３に当接すると、その反動で、逆方向に戻る動作（バウンド）が発生する。ここで、本実施形態では、重畳する各光量調整羽根１１には、重畳する各光量調整羽根１１がストッパ１３に当接するときに羽根同士を実質的に係合状態とする係合部１１０が設けられている。
【００１７】
具体的には、一方の羽根１１に突起部（凸部）１１１が設けられ、他方の羽根１１に突起部１１１を受ける受け部（凹部または貫通孔）１１２が設けられている。すなわち、本実施形態では、各光量調整羽根１１の回動動作中において、重畳する各光量調整羽根１１がストッパ１３に当接した状態を実質的に保持すべく、一方の羽根１１の突起部１１１が他方の羽根１１の受け部１１２に係合する。
【００１８】
したがって、係合部１１０は、バウンドを抑制するための手段であり、例えば、各光量調整羽根１１がストッパ１３に当接するタイミング（例えば、直前）で係合が開始するように設けてもよいし、各光量調整羽根１１がストッパ１３に当接する位置に合わせて設けるようにしてもよいし、各光量調整羽根１１がストッパ１３に当接後で係合が完了するように設けるようにしてもよい。いずれにしても、重畳する各光量調整羽根１１がバウンドする際に、そのバウンドを抑制できるような位置、形状で係合部１１０を設ければよい。
【００１９】
なお、このような係合部１１０は、重畳する光量調整羽根１１のうち一方の羽根１１に設けられた球状の突起部１１１と、他方の羽根に設けられて球状の突起部１１１を受ける受け部１１２とで構成するのがよい。これにより、羽根同士のスムーズな係合状態を実現できる。また、上述した係合部１１０を係合させるとは、羽根同士の間に物理的な抵抗（羽根の回動を実施的に制限しない程度の動作規制）を生じさせて、これをバウンド抑制として用いることである。
【００２０】
以上説明したように、本実施形態の光量調整装置１０では、一対の光量調整羽根１１がストッパ１３に当接するときに羽根同士が係合するため、光量調整羽根１１の移動停止に伴うバウンドを抑制し、光量調整ばらつきを効果的に抑えることができる。
【００２１】
＜他の実施形態＞
以上、本発明を一実施形態に基づいて詳細に説明したが、本発明は上述した一実施形態に限定されるものではない。
【００２２】
上述した一実施形態では、地板１２の固定開口部１２ａを開閉するシャッタ装置を例示して説明したが、本発明は勿論これに限定されず、例えば、光量を調整するため地板の固定開口よりも小さい口径を形成する絞り羽根、ＮＤフィルタと呼ばれる光学フィルタを固定したタイプの絞り羽根や、ＮＤフィルタの外形を絞り羽根のように加工したものを用いた光量調整装置としてもよい。
【００２３】
上述した一実施形態では、光量調整羽根１１のうち一方の羽根１１に突起部１１１を設け、他方の羽根１１に突起部１１１を受ける受け部１１２を設けた構成で説明したが、本発明は勿論これに限定されず、例えば、羽根の両方に突起部を設け、これら突起部を摺接させる形態の係合でもよい。
【図１】
2016057469.tif 000003
【図２】
2016057469.tif 000004
【図３】
2016057469.tif 000005